(57)【要約】【課題】  結晶量の多いパーム核油などの油脂の乾式分別において、晶析・圧搾濾過工程での結晶スラリーの増粘と固液分離効率の低下の問題を回避し、撹拌晶析により結晶画分を高収率で得ることができる、分別精度の高い乾式分別法を提供する。【解決手段】  乾式分別における晶析・圧搾濾過工程を多段に分けて繰り返して、それぞれの結晶画分に主要結晶成分を濃縮して主要結晶成分に富む結晶画分を得る。多段分取することにより、晶析・圧搾濾過工程での結晶量を結晶スラリーがポンプ輸送出来る範囲内に制御出来るとともに固液分離効率を高めることが出来る。【選択図】なし【特許請求の範囲】
【請求項１】
結晶画分の分別収率が３０〜８０重量％と結晶量の多い油脂の２分割乾式分別法において、撹拌晶析と圧搾濾過による乾式分別で結晶画分側に主要結晶成分を濃縮せしめて結晶画分を得て、濾液画分に残存する主要結晶画分は次段の撹拌晶析と圧搾濾過による乾式分別で結晶画分側に濃縮せしめて結晶画分を得る、多段分取による油脂の分別法。
【請求項２】
油脂がパーム核油であり、主要結晶成分がパーム核油中融点成分であり、結晶画分がパーム核ステアリンである請求項１記載の油脂の分別法。
【請求項３】
圧搾濾過に供する結晶スラリーの結晶量が固体脂含有量として１０〜２０重量％である請求項１または請求項２記載の油脂の分別法。
【請求項４】
多段分取で得た全パーム核ステアリンの混合油の沃素価が５〜９であり、かつ全パーム核ステアリンの分別収率が対原料油脂３０〜５０重量％である請求項２または請求項３記載の油脂の分別法。
【請求項５】
多段分取の最終段で得たパーム核オレインの沃素価が２３〜２７である請求項２〜請求項４のいずれか１項記載の油脂の分別法。
【発明の詳細な説明】
【技術分野】
【０００１】
本発明は、油脂の撹拌晶析と圧搾濾過による乾式分別法に関するものである。
【背景技術】
【０００２】
油脂の主な分別法として、一般的にアセトンやヘキサン等の溶剤を使用する溶剤分別法と溶剤を使用せずに加温融解した油脂単独を冷却し結晶析出させてから固液分離する乾式分別法がある。
【０００３】
溶剤分別は、結晶画分と液体画分の分画性能は極めて良好であるが、溶剤を使用しているため、その取扱には安全衛生上、十分な注意が必要であり、設備も大掛かりになるうえに、溶剤を除去するためにコスト高となる問題がある。
そのため、最近ではより簡便で安全性も高い乾式分別法が検討されるようになってきている。
【０００４】
乾式分別法は、一般的には溶剤を用いず加熱によって完全に融解された原料油脂を晶析槽内で撹拌しながら冷却し、結晶を析出させた後、圧搾及び又は濾過によって結晶画分と濾液（未固化の低融点画分）に分画する方法であるが、かかる撹拌晶析法では結晶画分の結晶量が多すぎると結晶スラリーが粘度上昇し圧搾及び／または濾過装置にポンプ輸送できなくなることより、該撹拌晶析法は比較的晶析後の結晶量の少ない油脂の分別に利用されているにすぎない。
【先行技術文献】
【特許文献】
【０００５】
上記の問題を解決するために、晶析後の結晶量の多い油脂の乾式分別法として、各種の静置晶析法が提案されている。例えば、マレー半島他の東南アジア諸国におけるパーム核油の分別法は、パーム核油を２７℃程度まで予備冷却してから、多数のトレイに注油して１８〜２１℃で静置晶析した後、濾布でラッピングして圧濾により固液分離する方法である。本方法は、晶析後の結晶量の多い油脂の分別が可能であり、設備費も比較的安価という利点はあるが、手作業によるラッピング作業のため多くの労力を要すること、圧濾による固液分離精度に限界があり、高品質の結晶画分を高収率で得るのが困難という問題があった。
【０００６】
上記手作業の問題と固液分離精度の向上を目的とし、新たな静置晶析法が提案されている。特許文献１には、原料油脂を圧搾機能を備えるフィルターの濾室内に仕込み、結晶析出温度で所定の結晶量が析出するまで保持した後、圧搾して固体画分と液体画分を分別する方法が開示されている。本方法によると、手作業の問題は解決できるが、晶析と圧搾を同装置で行うため、処理量を大きくするためには、多くのフィルターを必要とし、設備費が高くなる。また、フィルターを本来の機能とは異なる用い方をしているため、フィルターの故障が起こりやすく生産性がやや低いという問題があった。
【０００７】
特許文献２では、原料油脂へ固液分離した低融点画分を所要量混合し、予備冷却後に多数の小さなトレーに原料油脂を分注し、冷風により静置冷却・晶析を行い、その後トレーから剥離、解砕することにより流動性のある結晶スラリーを得て、ポンプによりフィルターに移送し圧搾及び又は濾過して結晶画分とロ液に分画する方法が示されている。本方法によると、晶析後の結晶量が比較的低くなるため晶析後の圧搾及び／または濾過装置へのポンプ輸送が容易になる利点はあるが、晶析後の結晶量が不安定で固液分離後の結晶画分品質が不安定であることや晶析温度が比較的低いため冷却コストが高いという問題があった。
【０００８】
なお、結晶量の多い油脂の撹拌晶析法としては、特許文献３のような向流式乾式分別法が提案されている。該方法は、少なくとも２段階の乾式分別晶析工程を含む方法で、第２オレインフラクションを第１オレインフラクションに再循環して、結晶量を低減して撹拌晶析後の結晶量をポンプ輸送可能な許容範囲とするものである。本方法も、結晶スラリーのポンプ輸送の問題は解決できるが、工程が複雑で各晶析段階での温度制御が容易でないという問題があった。
【特許文献１】特開昭６３−３９９９２号公報
【特許文献２】特開平９−２６３７８５号公報
【特許文献３】特開平３−４１１９５号公報
【発明の概要】
【発明が解決しようとする課題】
【０００９】
本発明は、結晶量の多い油脂の乾式分別法において、油脂中の主要結晶成分に富む結晶画分を高収率で簡便に得る、油脂の撹拌晶析による分別法の提供を課題とする。特に、パーム核油の乾式分別法において、パーム核油中融点成分に富む結晶画分としてパーム核ステアリンを高収率でより簡便に得る、油脂の撹拌晶析による分別法の提供を課題とする。
【課題を解決するための手段】
【００１０】
本発明者らは、上記の課題に対して鋭意研究を重ねた結果、撹拌晶析法における結晶スラリーの増粘の問題の解消法、結晶への濾液抱き込み量の低減法を見出し、撹拌晶析法でも簡便に高収率で結晶画分中の主要結晶成分に富む結晶画分を得る方法を見出した。
【００１１】
即ち、本発明の第１は、結晶画分の分別収率が３０〜８０重量％と結晶量の多い油脂の２分割乾式分別法において、撹拌晶析と圧搾濾過による乾式分別で結晶画分側に主要結晶成分を濃縮せしめて結晶画分を得て、濾液画分に残存する主要結晶画分は次段の撹拌晶析と圧搾濾過による乾式分別で結晶画分側に濃縮せしめて結晶画分を得る、多段分取による油脂の分別法である。
【００１２】
第２は、油脂がパーム核油であり、主要結晶成分がパーム核油中融点成分であり、結晶画分がパーム核ステアリンである第１記載の油脂の分別法である。
【００１３】
第３は、圧搾濾過に供する結晶スラリーの結晶量が固体脂含有量として１０〜２０重量％である第１または第２記載の油脂の分別法である。
【００１４】
第４は、多段分別により得られた全パーム核ステアリンの混合油の沃素価が５〜９であり、かつ全パーム核ステアリンの分別収率が対原料油脂３０〜５０重量％である、第２または第３記載のパーム核油の分別法である。
【００１５】
第５は、多段分取の最終段で得られる濾液画分として得られるパーム核オレインの沃素価が２３〜２７である第２〜第４いずれか１記載のパーム核油の分別法である。
【発明の効果】
【００１６】
本発明によれば、結晶画分の分別収率が３０〜８０重量％と結晶量の多い油脂の２分割乾式分別法において、撹拌晶析時の結晶スラリーの増粘の問題を解消し、かつ結晶への濾液抱き込み量の低減を可能とした事により、主要結晶成分に富む結晶画分を、低コストで簡便に得ることができる。すなわち、本発明によれば、濾液抱き込み量の少ない高品質の結晶画分をより高分別収率で得ることができる。
【発明を実施するための形態】
【００１７】
以下、本発明を具体的に説明する。
本発明は、結晶画分の分別収率が３０〜８０重量％と結晶量の多い油脂の２分割乾式分別法に利用することができる。具体的には、パーム核油、ヤシ油、ババス油のようなラウリン系油脂の２分割、前記ラウリン系油脂や大豆油、菜種油、綿実油、コーン油、ひまわり油、米糠油、パーム低融点部に例示される液状油脂の水素添加油の２分割に利用することにより、濾液抱き込み量の少ない高品質の結晶画分をより高分別収率で得ることができる。前記各種水素添加油を高融点部、中融点部及び低融点部に３分割する分別の場合、比較的結晶量の少ない高融点部を除去してから、比較的結晶量の多い中融点部と低融点部の２分割に本発明を好適に利用することができる。結晶画分の分別収率は３０〜８０重量％であるのが好ましく、さらに好ましくは３０〜６０重量％、最も好ましくは３０〜５０重量％である。結晶画分の分別収率が３０重量％未満であると、従来の１段乾式撹拌分別で処理可能であるため、本発明を利用するのは好ましくない。分別収率が８０重量％を超えると、結晶画分中の主要結晶成分含量が不十分となり、高品質の結晶画分を得られないため、好ましくない。
【００１８】
本発明における油脂中の主要結晶成分とは、原料油脂がパーム核油、ヤシ油、ババス油のような非水素添加ラウリン系油脂では、炭素数１０〜１８の飽和脂肪酸、特に炭素数１２及び１４の飽和脂肪酸を多く含有する３飽和トリグリセリドが該当する。かかるラウリン系油脂は前記主要結晶成分のような中融点成分に富む結晶画分と炭素数１０以下の脂肪酸、オレイン酸やリノール酸の不飽和脂肪酸を含有するトリグリセリドを主要成分とする低融点画分から成るため、一般的に２分割により分別される。本発明のパーム核ステアリンとは上記中融点成分に富む画分であり分別結晶画分として得られるものであるが、かかるパーム核ステアリンは体温付近でシャープな融解性状を示すため、そのまままたは水素添加を施したうえでチョコレート様食品用の油脂、ラウリン系ハードバターとして利用されている。また、本発明のパーム核オレインとは上記の低融点成分に富む画分であり分別濾液画分として得られるものである。
ラウリン系油脂の水素添加油の場合は、上記３飽和グリセリドとオレイン酸やリノール酸の不飽和脂肪酸が水素添加されて生成したステアリン酸やトランス脂肪酸を含むトリグリセリドが主要結晶成分に該当する。また、液状油脂の水素添加油では、水素添加で生成されるステアリン酸、トランス脂肪酸を含有するトリグリセリドが主要結晶成分に相当し、一般的に中融点部として得られるものである。
【００１９】
本発明における撹拌晶析とは、加熱により融解した原料油脂を、冷却開始から晶析完了まで終始撹拌しながら結晶化を行う晶析の方法である。また、圧搾濾過とは、晶析した結晶スラリーに圧力をかけながら濾過して固液分離する方法で、圧搾されたケーキ側が結晶画分、濾液側が濾液画分である。
【００２０】
この発明による乾式分別法は典型的には、例えば、一般的に結晶画分の結晶量が３０〜５０重量％となるように２分割されることが多いパーム核油の分別は以下の手順で行うことが出来る。
１）原料油脂を４５℃以上、好ましくは５０〜７０℃に加熱して、完全に融解する。
２）融解した油脂を撹拌装置及び冷媒による冷却装置が付いた晶析槽内で、撹拌しながら冷却し、晶析を行う。このときの冷媒温度は、晶析後にポンプ輸送可能な流動性のある結晶スラリーとなるよう適宜設定する。
３）晶析終了後に、結晶スラリーを圧搾ロ過器にポンプ輸送する。
４）圧搾ロ過しパーム核油中融点成分が濃縮された結晶画分と濾液画分に分離する。
５）濾液画分に残存するパーム核油中融点成分を濃縮、分離するために、得られた濾液画分を１）〜４）の操作を繰り返して、パーム核油中融点成分が濃縮された２段目結晶画分と２段目濾液画分に分離する。
６）必要であれば、さらに２段目濾液画分を１）〜４）の操作を繰り返して、パーム核油中融点成分が濃縮された３段目結晶画分と３段目濾液画分に分離する。
かくしてパーム核油中融点成分富む油脂であるパーム核ステアリンが多段で分取され、それらは混合使用する事もできる。
【００２１】
結晶量の多いパーム核油を１段だけの撹拌晶析で結晶化すると、結晶量が多すぎて結晶スラリーが増粘または固化して、その後の固液分離が困難になる。本発明の多段分取によれば、結晶スラリーの結晶量をポンプ輸送可能な流動性のあるものに制御出来るため、従来からパーム油などの撹拌晶析による乾式分別に使われている公知の晶析缶などが好適に利用できる。
【００２２】
晶析工程での撹拌速度は、冷却開始から油温が晶析最下点温度に低下するまでは特に制限はないが、比較的早い方が冷却効率を高めて冷却時間も短縮出来るので有利である。油温が晶析最下点まで低下してから晶析スラリーの圧搾濾過前までは濾液成分の結晶画分中への残液率（抱き込み）の低い分離効率の高い結晶を得るために、結晶が沈降しない範囲での低速撹拌が好ましい。なお、晶析最下点温度とは晶析工程中に油温が最も低くなった温度で、通常使用冷媒温度付近になる。
【００２３】
本発明の圧搾濾過に供する結晶スラリーの好ましい結晶量は、固体脂含有量として１０〜２０重量％、好ましくは１０〜１５重量％である。１０重量％未満であると圧搾濾過での分離性は良好であるが、結晶画分の分別収率が低く効率的でない。２０重量％を超えると、結晶スラリーの粘度が高くなり圧搾ロ過工程へのポンプ輸送が困難になるとともに、圧搾ロ過工程での結晶画分への濾液成分の残液率（抱き込み）が高くなり分別精度が低下するので好ましくない。なお、固体脂含有量の測定は、ＢＲＵＫＥＲ社製固体脂測定装置などによるＮＭＲ―パルスで簡便に測定出来、工程管理も容易である。
【００２４】
また、上記の結晶量を圧搾濾過終了まで晶析装置内で維持するために、原料油脂の１段目の攪拌晶析後に冷媒温度を晶析時の冷媒温度より２〜４℃高い温度に昇温して低速攪拌しながら保持するのが好ましい。この操作を行わないか２℃未満の昇温であると、結晶スラリー保持中に結晶析出がさらに進行し、結晶スラリーの粘度上昇または固化が起こるため好ましくない。４℃を超えて昇温すると、結晶の部分溶解が起こるとともに圧搾濾過性の低下も生じるためやはり好ましくない。なお２段目以降の攪拌晶析後では、冷媒温度の昇温は特に必須でなく、昇温しなくても結晶スラリー保持中のさらなる結晶析出の進行はほとんど起こらない。
【００２５】
結晶画分と濾液画分の分離には、フィルタープレスやメンブランフィルターなどの圧搾濾過の方法を用いるのが好ましい。特に、結晶画分として中融点成分に富むパーム核ステアリンを得るには、最大圧力３０Ｋｇ／ｃｍ２のような高圧圧搾により結晶画分への濾液残液率を低下させるのが望ましい。また、濾液残液率の低下のために、圧搾後の結晶ケーキの厚みを出来るだけ薄くするのが有利で、当該厚みを２５ｍｍ以下さらに望ましくは１５ｍｍ以下にするのが好ましい。
なお、濾液残液率の算出法として、下記の式を利用すると簡便に算出出来、算出された残液率で工程管理しても分別精度管理に何ら支障がない。
残液率％＝（結晶画分ＩＶ−真の結晶ＩＶ）÷（濾液画分ＩＶ−真の結晶ＩＶ）×１００（パーム核油中融点成分の主要成分は３飽和トリグリセリドであることから、真の結晶ＩＶ＝０とする。）
【００２６】
本発明における多段分取として、攪拌晶析と圧搾濾過の操作を３回以上繰り返すことも可能であるが、晶析設備や圧搾濾過設備の稼動効率の点から、４回以上の繰り返しは実用的ではない。多段分取回数は２〜３回が好ましく、最も好ましくは２回である。
【００２７】
本発明において、多段分取によって得られる全パーム核ステアリンの混合油の沃素価は、５〜９であるのが好ましく、さらに好ましくは５〜８であり、最も好ましくは５〜７である。沃素価が下限未満であると、主な中融点成分である炭素数１０〜１８の飽和脂肪酸、特に１２及び１４の飽和脂肪酸、を含有する３飽和トリグリセリド含有量が高くなる一方で、パーム核ステアリンの分別収率が低くなりすぎるため経済性の観点から好ましくない。逆に、沃素価が上限を超えるとパーム核ステアリンが低融点成分を多く含有し、固化後の常温での硬さ不足や耐熱保形性の低下が生じるため好ましくない。本発明の多段分取によって得られる全パーム核ステアリンの混合油の対原料油脂の分別収率は、３０〜５０重量％であるのが好ましく、より好ましくは３５〜５０重量％、最も好ましくは４０〜５０重量％である。分別収率が下限未満であると、経済性の観点から好ましくなく、上限を超えるとパーム核ステアリンの固化後の常温での硬さ不足や耐熱保形性の低下が生じるため好ましくない。
【００２８】
本発明において、多段分取後に最終段の濾液画分として得られるパーム核オレインの沃素価は２３〜２７であるのが好ましく、さらに好ましくは２４〜２６である。沃素価が下限未満であると、パーム核オレインの融点がやや高くなるとともにパーム核ステアリンの分別収率が低下するため好ましくない。上限を超えると、パーム核オレインの融点は低くなるがパーム核ステアリンの品質（硬さ、耐熱保形性）が低下する傾向にある。
【００２９】
以下に実施例を記載するが、この発明の技術思想がこれらの例示によって限定されるものではない。なお、各例中の％は、全て重量％を意味する。
【実施例】
【００３０】
＜原料油調製＞
パーム核より搾油しパーム核油を得た。このパーム核油Ａの沃素価は１７．５であった。
【００３１】
実施例１
＜１段目の分別＞
パーム核油Ａ  ４Ｋｇを６０℃に加熱し完全に融解して、冷媒ジャケット付きの直径１８５ｍｍ、高さ１７５ｍｍの晶析槽に入れ、１７℃の冷媒を冷媒ジャケットに循環しながら攪拌冷却した。攪拌羽根はステンレススチール製のくり抜き状長方形羽根（外幅１５０ｍｍ、外高１００ｍｍ、内幅１１０mm、内高８０mm）を用い、油温が６０℃から晶析最下点温度の２１℃に低下するまでの攪拌速度を３０ｒｐｍで冷却し、２１℃に低下後に攪拌速度を２０ｒｐｍに減速し、冷媒温度を２３℃とし、５時間保持して晶析を終了した。終了時点のＳＦＣは１３．５％であった。その後、冷媒温度を２５℃に昇温して結晶スラリーを保持しながら圧搾濾過機にポンプ移入した。圧搾は２．０Ｋｇ／ｃｍ２／ｍｉｎで１５分で３０Ｋｇ／ｃｍ２まで昇圧し、さらに同圧で１５分間保持して圧搾濾過した。圧搾した結晶画分として、沃素価５．３０のパーム核ステアリンＡＦ１を分別収率２１．４％で得た。結晶画分への濾液残液率は２５．１％と分離精度良好であった。なお、濾液画分ＡＬ１の沃素価は２１．１であった。
【００３２】
＜２段目の分別＞
１段目の乾式分別の方法で得た濾液画分ＡＬ１  ４Ｋｇを６０℃に加熱し完全に融解して、冷媒ジャケット付きの直径１８５ｍｍ、高さ１７５ｍｍの晶析槽に入れ、１５℃の冷媒を冷媒ジャケットに循環しながら攪拌冷却した。攪拌羽根は上記１段目と同羽根を用い、６時間保持して晶析を終了した。終了時点のＳＦＣは１２．５％であった。
その後、結晶スラリーを圧搾濾過機にポンプ移入した。圧搾は２．０Ｋｇ／ｃｍ２／ｍｉｎで１５分で３０Ｋｇ／ｃｍ２まで昇圧し、さらに同圧で１５分間保持して圧搾濾過した。結晶画分として沃素価６．５０のパーム核ステアリンＡＦ２を分別収率１９．８％で得た。結晶画分への残液率は２６．３％と良好であった。なお、濾液画分ＡＬ２の沃素価は２４．７であった。
【００３３】
＜パーム核ステアリンの混合＞
１段目で得られたＡＦ１と２段目で得られたＡＦ２を混合し、沃素価５．８１のパーム核ステアリンを分別収率３７．０％で得ることができた。
【００３４】
実施例２
実施例１の２段目分別において、１５℃の冷媒循環の時間を６時間から２時間に変更し、その後冷媒温度を２１℃に変更してから４時間保持して、実施例１同様の撹拌晶析を行った。終了時点のＳＦＣは１１．１％であった。その後、実施例１同様に圧搾濾過し、沃素価５．６０のパーム核ステアリンＢＦ２を分別収率１２．４％で得た。結晶画分への残液率は２４．０％と良好であった。なお、濾液画分ＢＬ２の沃素価は２３．３であった。
【００３５】
比較例１
実施例１で用いたパーム核油Ａを１段だけの攪拌晶析で分別する目的で、実施例１の１段目分別の冷媒温度を２３℃に変えて、その他の条件は実施例１同条件で攪拌晶析を行った。晶析途上の結晶スラリーのＳＦＣが１８％程度までは良好な流動性であったが、さらに結晶化が進行したＳＦＣ２０％程度でほとんど流動性が無くなり、その後の圧搾ロ過に供することが出来るような結晶スラリーは得られなかった。晶析途上のＳＦＣ１８％での圧搾濾過結果は、パーム核ステアリンＣＦ１の沃素価は５．２０で分別収率２５．９％、パーム核オレインＣＬ１の沃素価は２１．８であり、分離精度は比較的良好であったが晶析不十分でパーム核ステアリン分別収率は低すぎるものであった。
【００３６】
比較例２
実施例１の１段目の分別において、冷媒温度を１７℃で３時間晶析を行った。晶析途上のＳＦＣ１４％程度においては良好な流動性を保っていたが、ＳＦＣ１５％程度で急激に増粘し、流動性が無くなり、その後の圧搾ロ過に供することが出来るような結晶スラリーは得られなかった。晶析途上のＳＦＣ１４％での圧搾濾過結果は、パーム核ステアリンＤＦ１の沃素価は５．３０で分別収率２１．４％、パーム核オレインＤＬ１の沃素価は２０．７であり、分離精度は比較的良好であったが晶析不十分でパーム核ステアリンＤＦ１の分別収率は低すぎるものであった。
【００３７】
実施例１、２、比較例１、２のテスト結果を表１に示す。
なお、以後のテスト結果では以下の測定値である。
ＳＦＣ：結晶スラリーの固体脂含有量％
ＳＦＣ測定方法：結晶スラリー  ３±０．３ｇを長さ１８０ｍｍ，直径１０ｍｍの試験管に採取して、可及的速やかにＢＲＵＫＥＲ社製ＳＦＣ測定装置  「ｍｉｎｉｓｐｅｃ  ｐｃ１２０  ＳＦＣ測定装置」プローブに挿入し、結晶スラリーＳＦＣをＮＭＲ−パルスで測定した。
沃素価はウイィス―シクロヘキサン法にて測定。
【００３８】
表１に実施例１〜２、比較例１〜２の分別結果を示す。
表１
2014141539.tif 000002
【００３９】
実施例１では、パーム核ステアリンの沃素価がそれぞれ５．３、６．５と中融点成分に富むパーム核ステアリンを対分別原料から２１．４％、１５．６％の収率で得た。中融点成分に富むパーム核ステアリンの合計収率は３７．０％と高収率であった。また、実施例２では、中融点成分に富むパーム核ステアリンの合計収率は３３．８％とやや低い結果ではあったが、比較例対比では高収率であった。一方、１段の分別で実施例１同レベルの結晶化部分収率を得ようとすると、結晶スラリーの急速な増粘が起こり、結晶画分と濾液画分の分離が出来なくなる結果であった。また、１段で分離可能な結晶量で圧搾濾過すると、分離精度は良好であったが晶析不十分なため結晶画分の分別収率は低く、パーム核オレインの沃素価も実施例１の２段目パーム核オレインよりもかなり低いものであった。
【産業上の利用可能性】
【００４０】
本発明は、結晶量の多い油脂の乾式分別法において、油脂中の主要結晶成分に富む結晶画分を高収率で簡便に得る、油脂の撹拌晶析による分別法に関し、特に、パーム核油の乾式分別法において、パーム核油中融点成分に富む結晶画分としてパーム核ステアリンを高収率でより簡便に得る、油脂の撹拌晶析による分別法に関するものである。